【手続補正書】
【提出日】平成19年2月16日(2007.2.16)
【手続補正１】
【補正対象書類名】特許請求の範囲
【補正対象項目名】全文
【補正方法】変更
【補正の内容】
【特許請求の範囲】
【請求項１】
医療用具を保持すると共に所望の位置へ移動・固定可能に設けられる保持部と、
前記医療用具より延出される線状の延出材と、
前記延出材を前記保持部に固定配置する固定手段と、
を具備することを特徴とする医療用具保持装置。
【請求項２】
前記固定手段は、前記保持部に設けられることを特徴とする請求項１記載の医療用具保持装置。
【請求項３】
前記固定手段は、前記保持部に着脱可能に設けられることを特徴とする請求項１記載の医療用具保持装置。
【請求項４】
術部を観察もしくは処置する医療用具を所望の位置に移動・固定する保持アームと、前記医療用具や前記保持アームの滅菌状態を維持する滅菌ドレープとを有する医療用具保持装置であって、
前記医療用具から延出する線状の延出材を前記保持アームに固定すると共に前記保持アームに掛けられた前記滅菌ドレープを前記保持アームに固定する固定手段を有することを特徴とする医療用具保持装置。
【請求項５】
前記固定手段は、前記滅菌ドレープの内側に位置し、前記滅菌ドレープの内側において前記保持アームに固定配置されることを特徴とする請求項４記載の医療用具保持装置。
【請求項６】
前記固定手段は、前記滅菌ドレープの外側に配置され、前記滅菌ドレープの外側から前記滅菌ドレープを介在し前記保持アームに固定配置されることを特徴とする請求項４記載の医療用具保持装置。
【請求項７】
前記固定手段は、滅菌可能な部材で構成されていることを特徴とする請求項４又は６記載の医療用具保持装置。
【手続補正２】
【補正対象書類名】明細書
【補正対象項目名】０００４
【補正方法】変更
【補正の内容】
【０００４】
ところが、上記布カンシで固定する方法では、その取付作業自体がやりにくく、手術の準備や後片付けの度に延出材を着脱する煩雑な作業を伴うために、その取扱い操作が面倒で、手術効率の低下を招いていた。また、これによると、布カンシには、先端部に鋭利な爪が構成されていることにより、延出材であるチューブ類を保持する際に、誤ってチューブ類を破損してしまうおそれがある。
【手続補正３】
【補正対象書類名】明細書
【補正対象項目名】００１３
【補正方法】変更
【補正の内容】
【００１３】
この発明は、医療用具を保持すると共に所望の位置へ移動・固定可能に設けられる保持部と、前記医療用具より延出される線状の延出材と、前記延出材を前記保持部に固定する固定手段とを備えて医療用具保持装置を構成した。
【手続補正４】
【補正対象書類名】明細書
【補正対象項目名】００１４
【補正方法】変更
【補正の内容】
【００１４】
またこの発明は、術部を観察もしくは処置する医療用具を所望の位置に移動・固定する保持アームと、前記医療用具や前記保持アームの滅菌状態を維持する滅菌ドレープとを有する医療用具保持装置にであって、前記医療用具から延出する線状の延出材を前記保持アームに固定すると共に前記保持アームに掛けられた前記滅菌ドレープを前記保持アームに固定する固定手段を有することを特徴とする医療用具保持装置を構成した。
【手続補正５】
【補正対象書類名】明細書
【補正対象項目名】００２２
【補正方法】変更
【補正の内容】
【００２２】
上記構成において、アーム５には、その全体を覆うように滅菌用のドレープ１１が被され、その第１及び第２アーム５ｂ、５ｃのチューブ固定部材９が、図２に示すようにドレープ１１の内側に位置される。この状態で、送水管や吸引管のチューブ１０及びテレビカメラケーブル１２は、図３に示すように上記ドレープ１１内のチューブ固定部材９のチューブ保持部９ａ、９ｂの各開口９ｃに該ドレープ１１を介在させた状態で、その弾性力を利用して押し込むように挿入して収容する。ここで、これら送水管や吸引管等のチューブ１０及びテレビカメラケーブル１２は、ドレープ１１とともにチューブ保持部９ａ及び９ｂによって挟まれ保持され、アーム５に位置決め固定される。
【手続補正６】
【補正対象書類名】明細書
【補正対象項目名】００２６
【補正方法】変更
【補正の内容】
【００２６】
また、これによれば、送水管や吸水管のような手術の滅菌領域で使用するチューブ１０及びテレビカメラケーブル１２を、ドレープ１１を介在してチューブ固定部材９に固定配置することとなるため、ドレープ１１をテープや輪ゴムで固定する必要が無いことで、種出の準備や後片付け等に作業が簡便化されて、使い勝手を含む取扱い操作性の向上が図れる。従って、手術の前後、または途中でのＣＴスキャン等の準備や収納を短時間で行うことができるので患者及び手術スタッフへの負担を軽くすることができる。
【手続補正７】
【補正対象書類名】明細書
【補正対象項目名】００３１
【補正方法】変更
【補正の内容】
【００３１】
即ち、第２の実施の形態においては、例えばプラスチックやゴム等の滅菌可能な弾力性を持った材質からなる固定手段であるチューブ固定部材１００を、アーム５を覆うように被着した滅菌用のドレープ１１の外側に配置するよう構成される（図４参照）。このチューブ固定部材１００は、上記第１及び第２アーム５ｂ、５ｃの外径に対応して略半円形状の第１及び第２固定部の基端が回動ピン１５を介して回動自在に取付けられ、これら第１及び第２固定部１３，１４の先端部には、爪部１３ｃ，１４ａが対向して設けられる。
【手続補正８】
【補正対象書類名】明細書
【補正対象項目名】００３２
【補正方法】変更
【補正の内容】
【００３２】
これにより、第１及び第２固定部１３，１４は、回動ピン１５を介して回動されて筒状の閉塞位置（図５及び図６参照）と開いた開位置（図４参照）に回動自在に構成され、その開位置において第１及び第２アーム５ｂ、５ｃの周囲に取り付けられ、その後、反転され、互いの爪部１３ｃ，１４ａが弾性係合されることで、閉塞位置において位置規制される。
【手続補正９】
【補正対象書類名】明細書
【補正対象項目名】００３４
【補正方法】変更
【補正の内容】
【００３４】
上記構成において、アーム５には、その第１及び第２アーム５ｂ、５ｃにドレープ１１が被される。そして、このドレープ１１上には、図４に示すように滅菌済みのチューブ固定部材１００が、その第１及第２固定部１３，１４を開位置に開いた状態で、その一方を第１及び第２アーム５ｂ、５ｃの周囲に取り付け、その後、これら第１及び第２固定部１３，１４の他方を図５に示すように閉塞位置まで反転させて、相互の爪部１３ｃ，１４ａを弾性係合させることで、固定配置される。ここで、ドレープ１１は、チューブ固定部材１００を介して第１及び第２アーム５ｂ、５ｃに位置決め固定される。
【手続補正１０】
【補正対象書類名】明細書
【補正対象項目名】００４７
【補正方法】変更
【補正の内容】
【００４７】
先ず、アーム５のブレーキを解除する場合には、図９に示すようにブレーキ解除スイッチ２６を矢印Ｆ方向に押圧操作する。すると、上記エアーは、エアーブレーキ２７のシリンダ２７ｂ内部に導入され、そのシリンダ２７ｂがブレーキバネ３５の押圧力に反して矢印Ｈ方向へ移動される。これによって、シリンダ２７ｂに接着固定されたブレーキパット３２がディスク３６から離間され、ディスク３６及び第２アーム５ｃは、軸Ｏ周りに自由に回転可能となる。
【手続補正１１】
【補正対象書類名】明細書
【補正対象項目名】００４８
【補正方法】変更
【補正の内容】
【００４８】
また、再び、アーム５を固定する場合には、ブレーキ解除スイッチ２６の押圧操作を解除すると、そのバネ２８の押圧力によりブレーキ解除スイッチ２６が矢印Ｅ方向に移動され、エアーブレーキ２７へのエアーの供給を遮断すると共に、シリンダ２７ｂ内部のエアーをエアー排出口５ｇより排出する。これによって、シリンダ２７ｂは、ブレーキバネ３５の押圧力によって矢印Ｇ方向に移動され、上記ディスク３６及び第２アーム５ｃが位置決め固定される。
【手続補正１２】
【補正対象書類名】明細書
【補正対象項目名】００５７
【補正方法】変更
【補正の内容】
【００５７】
図１１及び図１２は、この発明の第４の実施の形態に係る内視鏡保持装置を示すものである。この第４の実施の形態においては、上述した第１乃至第３の実施の形態と同一部分について、同一符号を付して、その詳細な説明を省略する。
【手続補正１３】
【補正対象書類名】明細書
【補正対象項目名】００５８
【補正方法】変更
【補正の内容】
【００５８】
即ち、第４の実施の形態では、上記負作動ブレーキとしてのエアーブレーキ２７のシリンダ２７ｂの外周部にフランジ部２７ｄが設けられる。そして、上記第２アーム５ｃの側面には、レバー支持部５ｈが設けられ、このレバー支持部５ｈには、第２の制御手段としてのレバー４３が回転ピン４４を介して回転自在に支持される。
【手続補正１４】
【補正対象書類名】明細書
【補正対象項目名】００７６
【補正方法】変更
【補正の内容】
【００７６】
１…内視鏡部、２…ＴＶカメラ、３…取り付けアダプタ、４…取り付けネジ、５…アーム、５ａ…先端部、５ｂ…第１アーム、５ｃ…第２アーム、５ｄ…垂直アーム、５ｅ，５ｆ…関節部、６…バランス錘、７…ベース、８…キャスター、９…チューブ固定部材、９ａ、９ｂ…チューブ保持部、９ｃ…開口、１０…チューブ、１１…ドレープ、１２…テレビカメラケーブル、１００…チューブ固定部材、１３…第１固定部、１４…第２固定部、１３ｃ，１４ａ…爪部、１３ａ，１３ｂ…チューブ保持部、１３ｄ…開口、１５…回動ピン、１６…ホース、１７…第１チェックバルブ、１８…第１分岐点、１９…第２チェックバルブ、２０…手動バルブ、２１…チャンバー、２２…パッキン、２３…移動弁、２４…パッキン、２５…中間ホース、２６…ブレーキ解除スイッチ、２７…エアーブレーキ、２７ａ…本体部、２７ｂ…シリンダ、２７ｃ…溝部、２７ｄ…フランジ部、２８…バネ、２９…パッキン、３０…ビス、３１，３２…ブレーキパッド、３３…Ｏリング、３４…ガイド軸、３５…ブレーキバネ、３６…ディスク、３７…ビス、３８，３９…ベアリング、４０，４１…オサエカン、４２…カラー、５ｈ…レバー支持部、４３…レバー、４４…回動ピン。